(57)【要約】【課題】冷凍保存される内容物を解凍したときに生ずる結露水によってこの内容物を収納する包装箱を構成する板紙全体が吸水して強度低下が起ることを抑制し、しかも解凍時に生ずる結露水を適正に吸収して内容物に結露水が付着することを防止し、さらには内物から必要以上に水分が蒸散しないようにした包装箱を提供する。【解決手段】板紙４２の内表面にポリエチレンフィルム４３を介して紙４４を接合し、この紙４４が内側に臨むように包装箱を組立てる。【選択図】  図４
2004331211.tif 000002
【特許請求の範囲】
【請求項１】
シート状部材よって組立てられる包装箱において、
前記シート状部材の少なくともこの包装箱の内側に臨む領域に紙を接合したことを特徴とする包装箱。
【請求項２】
包装箱を組立てるシート状部材の箱の内側と対応する表面に樹脂フィルムを接合するとともに、該樹脂フィルムの表面に紙を接合したことを特徴とする請求項１に記載の包装箱。
【請求項３】
前記樹脂フィルムの表面に接合される紙が坪量が３０〜１００ｇ／ｍ２  であって、しかも吸水量が６０ｇ／ｍ２  以下で破裂強度が４０Ｋｐａ以上であることを特徴とする請求項１または請求項２に記載の包装箱。
【請求項４】
冷凍保存される菓子類を収納することを特徴とする請求項１〜請求項３の何れかに記載の包装箱。
【請求項５】
冷凍保存されるケーキ類を収納し、解凍時の結露水を内表面に接合される前記紙が吸収することを特徴とする請求項１〜請求項４の何れかに記載の包装箱。
【発明の詳細な説明】
【０００１】
【発明の属する技術分野】
本発明は包装箱に係り、とくにシート状部材によって組立てられる包装箱に関する。
【０００２】
【従来の技術】
例えばケーキを収納するために、板紙等によって組立てられた直方体状をなす包装箱が広く用いられている。この種の包装箱は板紙を打抜いて所要の部位を形成し、これを折曲げることによって直方体状に組立てるようにしている。ここで天板には切込みが形成され、この切込みを切起して成る取手によって手で持って運ぶようになっている。
【０００３】
【発明が解決しようとする課題】
ケーキ、とくにクリスマスケーキは、クリスマスの直前に一時的に大量に市場に供給する必要がある。ところが一時的に大量のケーキを作ることが困難であることに鑑みて、十分な時間的余裕をもってケーキを製造し、これを冷凍保存するとともに、クリスマスの直前に市場に供給するようにしている。
【０００４】
このようなクリスマスケーキの冷凍保存に用いられる包装箱は、ケーキを冷凍保存する際に上記のケーキから水分が蒸散し、これによってケーキの風味が劣化することを防止するために、包装箱を組立てる板紙の表面に樹脂フィルムを積層し、これによってこの箱を通して外部に水分が放散するのを防止している。このような包装箱によると、この包装箱の内部の雰囲気を多湿の状態に保つことができ、このためにケーキからの水分の蒸散が防止される。
【０００５】
ところがこのような構造の包装箱は、冷凍状態から解凍する際に発生する水分が包装箱内に、とくに壁の内表面に結露する問題がある。このようにして発生した水滴は内部に収納されるケーキのとくに生クリームに付着し、これによって製品の品質が劣化する。
【０００６】
また上記のような解凍ときの結露水によって包装箱を構成する板紙が吸水し、これによって包装箱の強度が大幅に低下する問題がある。さらにはこの包装箱内の結露水によって、包装箱を構成する板紙が吸水し、この包装箱の接着部の強度低下によって接着部の剥れに至る不具合を生ずる。
【０００７】
本発明はこのような問題点に鑑みてなされたものであって、とくに冷凍状態から解凍する際において発生する結露水によって生ずる不具合を防止するとともに、内部に収納される物品の品質を損わないようにした包装箱を提供することを目的とする。
【０００８】
【課題を解決するための手段】
本願の主要な発明は、
シート状部材よって組立てられる包装箱において、
前記シート状部材の少なくともこの包装箱の内側に臨む領域に紙を接合したことを特徴とする包装箱に関するものである。
【０００９】
ここで包装箱を組立てるシート状部材の箱の内側と対応する表面に樹脂フィルムを接合するとともに、該樹脂フィルムの表面に紙を接合することが好ましい。また前記樹脂フィルムの表面に接合される紙が坪量が３０〜１００ｇ／ｍ２  であって、しかも吸水量が６０ｇ／ｍ２  以下で破裂強度が４０Ｋｐａ以上であることが好ましい。また冷凍保存される菓子類を収納することが好ましい。また冷凍保存されるケーキ類を収納し、解凍時の結露水を内表面に接合される前記紙が吸収することが好ましい。
【００１０】
本願に含まれる発明の好ましい態様は、クリスマスケーキ等のケーキを収納する包装箱を組立てるための板紙や段ボールから成るシート状部材の内表面に樹脂フィルムを介して紙を接着し、内容物の解凍時の結露水を上記の紙によって吸水し、これによって内容物への結露水の付着を防止するものである。ここで上記包装箱の内表面に接合される紙は、坪量が３０〜１００ｇ／ｍ２  であって、吸水量が６０ｇ／ｍ２  以下においてその破裂強度が４０Ｋｐａ以上の紙を用いることが好適である。
【００１１】
【発明の実施の形態】
以下本願に含まれる発明を図示の実施の形態によって説明する。図１はこの実施の形態の包装箱を組立てる板紙の展開平面図を示しており、この板紙は側板１１、天板１２、側板１３、底板１４を備え、これらが順次折曲げ線１５、１６、１７を介して互いに１列に連結されている。なお底板１４の端部にはさらに接合片１８が折曲げ線１８ａを介して接合されている。
【００１２】
側板１１の両側にはそれぞれ折曲げ線１９を介してフラップ２０が連設されている。また側板１３の両側にはそれぞれ折曲げ線２１を介してフラップ２２が連設されている。
【００１３】
底板１４の両側にはそれぞれ折曲げ線２５を介して側板２６が連設されるとともに、この側板２６にはほぼコ字状をなす切込み２７が形成されている。これに対して天板１２の両側には折曲げ線２９を介して補助板３０が連設されるとともに、これらの補助板３０の先端部には折曲げ線３１を介して係止片３２が連設されている。なお係止片３２は上記側板２６の切込み２７内に挿入されるようになっている。
【００１４】
また天板１２には互いに対称に円弧状の切込み３５が形成されるとともに、この切込み３５よりも一回り小さな別の円弧状の切込み３６が対称に形成されている。そしてこれらの切込み３５、３６間が取手３７を構成している。また切込み３５、３６間の開口を天板１２の下面の透明シート３８によって閉じるようにしている。
【００１５】
次にこのような板紙によって包装箱を組立てる動作について説明する。図１に示す板紙を折曲げ線１５、１６、１７のところで順次折曲げるとともに、接合片１８を反対側の側板１１の下端側に接合する。これによって図１の板紙が四角筒状に組立てられる。
【００１６】
そしてこの四角筒の両端の開口を折曲げ線１９、２１のところでフラップ２０、２２を折曲げて閉じる。そしてその後にフラップ２０、２２の外側に側板２６を重合わせるように折曲げ線２５のところで折曲げる。そしてさらにこの後に補助板３０を折曲げ線２９のところで折曲げ、先端側の係止片３２を側板２６の切込み２７内に挿入して係止する（図２、図３参照）。そしてこの後に取手３７を切込み３５、３６のところで上方に起すことによって、包装箱が組立てられる。
【００１７】
ここでこのケーキ用の包装箱を構成する板紙４２には図４に示すように、その一方の表面であって箱の内側に対応する位置にポリエチレンフィルム４３が接合される。なおポリエチレンフィルム４３としては例えば１５μｍ程度の厚さのものであってよい。そしてこの内側にさらに紙４４が接合される。紙４４は中に収納されるケーキ５３の解凍時の結露水を吸収し、これによってケーキ５３に対する結露水の付着を防止するものである。そしてここで紙４４としてはその坪量が３０〜１００ｇ／ｍ２  であって吸水量が６０ｇ／ｍ２  以下において破裂強度が４０Ｋｐａ以上の紙を用いることが好適である。
【００１８】
図３はこのような内側に紙４４を接合した板紙４２から成る包装箱内にケーキ５３を収納した状態を示している。ここでこの包装箱の内面に位置する紙４４によって結露水を吸収させるようにしており、結露水がポリエチレンフィルム４３によって板紙４２側に浸透するのが防止される。従ってこの包装箱を構成する板紙４２が吸水することが抑制され、これによって包装箱の強度低下が抑制できる。
【００１９】
また包装箱の内側に位置する紙４４によって、この包装箱内に付着する結露水を吸水し、これによって内容物、すなわちケーキ５３等に対する結露水の付着を防止するとともに、ケーキ５３から蒸散される水分を必要以上に吸収するのをポリエチレンフィルム４３によって抑制でき、このためにこの包装箱の内部を多湿の状態に保つことができる。よってケーキ５３からの水分の蒸散量を１．５％以下に抑制できることが確認された。
【００２０】
とくにこの包装箱を構成する板紙４２の内側にポリエチレンフィルム４３を介して接合される紙４４として、６０ｇ／ｍ２  以下の吸水量において破裂強度が４０Ｋｐａ以上の紙を用いることによって、この包装箱内の結露水を吸水した場合においても、板紙４２の接合部、すなわち接合片１８と側板１１との接合部における剥れも抑制することができ、これによってこの包装箱が確実に所期の形態を維持するとともに、所定の強度を維持できるようになる。
【００２１】
なお上記実施の形態は板紙４２の表面に図４に示すようにポリエチレンフィルム４３を介して紙４４を接合し、紙４４がこの包装箱の内部に臨むようにしたものであるが、このような構成に代えて、図５に示す段ボール４７を用いることができる。段ボール４７は中芯４８の両側にライナ４９、５０を接合したものであって、一方のライナ５０の表面にポリエチレンフィルム４３を介して紙４４を接合する。なお段ボール４７のライナ４９、５０と中芯４８との接合には、樹脂を含有するでんぷん糊を用いることが好ましい。そして紙４４が内側になるようにこの段ボール４７によって包装箱を組立てる。
【００２２】
このような段ボールから成る包装箱においても、ケーキ５３の解凍時における結露水を紙４４によって吸収することが可能になり、このために板紙４２から成る包装箱の場合と同様の作用効果を生ずる。
【００２３】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態はケーキ５３を収納するための板紙４２または段ボール４７から成る包装箱であるが、本願発明に係る包装箱はケーキ以外の冷凍保存される菓子等のケースとしても広く適用可能である。
【００２４】
【発明の効果】
本願の主要な発明は、シート状部材よって組立てられる包装箱において、シート状部材の少なくともこの包装箱の内側に臨む領域に紙を接合したものである。
【００２５】
従ってこのような包装箱によれば、内容物を解凍する際に発生する結露水をこの包装箱の内側に接合された紙によって吸収することができ、このためにこの包装箱を構成するシート状部材が吸水することを抑制できてこの包装箱の強度低下が抑制される。また内側に接合された紙によって結露水を吸収することにより、内容物に対する水滴の付着を防止するとともに内容物から蒸散される水分を必要以上に吸収することを抑制し、この包装箱内を適切な湿度の状態に維持でき、これによって内容物からの水分の蒸散量を適正な値に抑制してその変質を防止できるようになる。
【００２６】
とくに樹脂フィルムの表面に接合される紙が坪量が３０〜１００ｇ／ｍ２  であって、しかも吸水量が６０ｇ／ｍ２  以下で破裂強度が４０Ｋｐａ以上である構成によれば、包装箱内の結露水を吸水した場合においてもこの包装箱の接合部における剥れを抑制できる作用効果を奏する。
【図面の簡単な説明】
【図１】包装箱を構成する板紙の展開平面図である。
【図２】板紙によって組立てられた包装箱の外観斜視図である。
【図３】同包装箱の縦断面図である。
【図４】包装箱を構成する板紙の拡大断面図である。
【図５】包装箱を構成する段ボールの拡大断面図である。
【符号の説明】
１１  側板
１２  天板
１３  側板
１４  底板
１５〜１７  折曲げ線
１８  接合片
１８ａ  折曲げ線
１９  折曲げ線
２０  フラップ
２１  折曲げ線
２２  フラップ
２５  折曲げ線
２６  側板
２７  切込み
２９  折曲げ線
３０  補助板
３１  折曲げ線
３２  係止片
３５、３６  切込み
３７  取手
３８  透明シート
４２  板紙
４３  ポリエチレンフィルム
４４  紙
４７  段ボール
４８  中芯
４９、５０  ライナ
５３  ケーキ
【図１】
2004331211.tif 000003
【図２】
2004331211.tif 000004
【図３】
2004331211.tif 000005
【図４】
2004331211.tif 000006
【図５】
2004331211.tif 000007